(57)【要約】【課題】交換や作製が容易であり、変化を付けた装飾が可能である眼鏡用装飾部材や、その眼鏡用装飾部材を有する眼鏡を提供する。【解決手段】本発明に係る眼鏡用装飾部材６は、眼鏡フレームに設けられたフレーム側係合部としての智１６の突起２０に対して係合する係合部としての凹部２２を備えている。眼鏡用装飾部材６は、突起２０への凹部２２の係合により、眼鏡フレームの智１６に装着される。加えて、これらの眼鏡用装飾部材６を用いて眼鏡が形成される。【選択図】図２
2019124938.tif 000002
【特許請求の範囲】
【請求項１】
眼鏡フレーム及び眼鏡レンズの少なくとも一方に対して係合する係合部を備えており、
前記眼鏡フレーム及び前記眼鏡レンズの少なくとも一方に対する前記係合部の係合により、前記眼鏡レンズ及び前記眼鏡フレームの少なくとも一方に装着される
ことを特徴とする眼鏡用装飾部材。
【請求項２】
更に、前記眼鏡フレーム及び前記眼鏡レンズの少なくとも一方と前記係合部とに係合する係合具を備えている
ことを特徴とする請求項１に記載の眼鏡用装飾部材。
【請求項３】
リング状あるいは弧状に形成されており、前記眼鏡レンズ及び前記眼鏡フレームの少なくとも一方への装着により、前記眼鏡レンズの周囲に配置される
ことを特徴とする請求項１又は請求項２に記載の眼鏡用装飾部材。
【請求項４】
前記眼鏡レンズの外形とは異なる形状を有している
ことを特徴とする請求項３に記載の眼鏡用装飾部材。
【請求項５】
１枚の前記眼鏡レンズに対して複数装着される
ことを特徴とする請求項１ないし請求項４の何れかに記載の眼鏡用装飾部材。
【請求項６】
切れ目を有するリング状に形成されている
ことを特徴とする請求項１ないし請求項４の何れかに記載の眼鏡用装飾部材。
【請求項７】
更に、光学的機能及び機械的機能の少なくとも一方を有するシート状の機能シートを備えており、
前記機能シートは、前記眼鏡レンズの前面側及び後面側の少なくとも一方に配置される
ことを特徴とする請求項１ないし請求項４の何れかに記載の眼鏡用装飾部材。
【請求項８】
請求項１ないしは請求項７の何れかに記載の眼鏡用装飾部材が装着されている
ことを特徴とする眼鏡。
【発明の詳細な説明】
【技術分野】
【０００１】
本発明は、度の入っていないあるいは度付きの眼鏡に用いる装飾部材、及び当該眼鏡用装飾部材が装着された眼鏡に関する。
【背景技術】
【０００２】
リムレス眼鏡のレンズ周縁プロテクト装飾構造として、実用新案登録第３００４１３０号公報（特許文献１）のものが知られている。
この装飾構造では、ツーポイント式リムレス眼鏡のレンズ周縁に凹溝を周設し、その凹溝にゴム状緩衝装飾リングが介装される。
【先行技術文献】
【特許文献】
【０００３】
【特許文献１】実用新案登録第３００４１３０号公報
【発明の概要】
【発明が解決しようとする課題】
【０００４】
かような装飾構造では、緩衝装飾リングの形状が、眼鏡レンズの周縁の形状と同等となり、眼鏡レンズの周縁の形状と異なるようにして変化を付けた装飾は行い難い。
又、緩衝装飾リングは、リムレス眼鏡フレームの耳側の構成要素であるレンズスプリントと眼鏡レンズとの間に挟み込まれるか、レンズスプリントと結合されるため、交換に手間がかかる。
本発明の主な目的は、交換や作製が容易であり、変化を付けた装飾が可能である眼鏡用装飾部材や、その眼鏡用装飾部材を有する眼鏡を提供することである。
【課題を解決するための手段】
【０００５】
上記目的を達成するために、請求項１に記載の発明は、眼鏡用装飾部材であって、眼鏡フレーム及び眼鏡レンズの少なくとも一方に対して係合する係合部を備えており、前記眼鏡フレーム及び前記眼鏡レンズの少なくとも一方に対する前記係合部の係合により、前記眼鏡レンズ及び前記眼鏡フレームの少なくとも一方に装着されることを特徴とするものである。
請求項２に記載の発明は、上記発明において、更に、前記眼鏡フレーム及び前記眼鏡レンズの少なくとも一方と前記係合部とに係合する係合具を備えていることを特徴とするものである。
請求項３に記載の発明は、上記発明において、リング状あるいは弧状に形成されており、前記眼鏡レンズ及び前記眼鏡フレームの少なくとも一方への装着により、前記眼鏡レンズの周囲に配置されることを特徴とするものである。
請求項４に記載の発明は、上記発明において、前記眼鏡レンズの外形とは異なる形状を有していることを特徴とするものである。
請求項５に記載の発明は、上記発明において、１枚の前記眼鏡レンズに対して複数装着されることを特徴とするものである。
請求項６に記載の発明は、上記発明において、切れ目を有するリング状に形成されていることを特徴とするものである。
請求項７に記載の発明は、上記発明において、更に、光学的機能及び機械的機能の少なくとも一方を有するシート状の機能シートを備えており、前記機能シートは、前記眼鏡レンズの前面側及び後面側の少なくとも一方に配置されることを特徴とするものである。
上記目的を達成するために、請求項８に記載の発明は、眼鏡であって、上記発明の眼鏡用装飾部材が着脱可能に装着されていることを特徴とするものである。
【発明の効果】
【０００６】
本発明の主な効果は、交換や作製が容易であり、変化を付けた装飾が可能である眼鏡用装飾部材や、その眼鏡用装飾部材を有する眼鏡が提供されることである。
【図面の簡単な説明】
【０００７】
【図１】本発明の第１形態に係る眼鏡におけるテンプルが省略された正面図である。
【図２】図１の（ａ）一部上面図，（ｂ）Ａ−Ａ線断面図である。
【図３】（ａ）は本発明の第２形態に係る眼鏡における図２（ａ）同様図であり、（ｂ）は図３（ａ）のＢ−Ｂ線断面図である。
【図４】（ａ）は本発明の第３形態に係る眼鏡における図２（ａ）同様図であり、（ｂ）は図４（ａ）のＣ−Ｃ線断面図である。
【図５】本発明の第４形態に係る眼鏡における一部前面図である。
【図６】（ａ）は図５のＤ−Ｄ線断面図であり、（ｂ）は本発明の第５形態に係る眼鏡における（ａ）と同様の図であり、（ｃ）は本発明の第６形態に係る眼鏡における（ａ）と同様の図である。
【図７】本発明の第７形態に係る眼鏡における一部前面図である。
【図８】本発明の第８形態に係る眼鏡における一部前面図である。
【図９】本発明の第９形態に係る眼鏡における一部前面図である。
【図１０】本発明の第１０形態に係る眼鏡における図２（ｂ）同様図である。
【図１１】本発明の第１１形態に係る眼鏡における一部前面図である。
【図１２】本発明の第１２形態に係る眼鏡における一部前面図である。
【図１３】本発明の第１３形態に係る眼鏡における一部前面図である。
【図１４】（ａ）は本発明の第１４形態に係る眼鏡における一部前面図であり、（ｂ）は（ａ）のＥ−Ｅ線断面図である。
【発明を実施するための形態】
【０００８】
以下、本発明に係る実施の形態やその変更例が、適宜図面を用いて説明される。尚、本発明は、以下の形態や変更例に限定されない。
【０００９】
［第１形態］
図１は、本発明の第１形態に係る眼鏡１におけるテンプルが省略された正面図であり、図２（ａ）は、図１の一部上面図であり、図２（ｂ）は、図１のＡ−Ａ線断面図である。
眼鏡１は、左右の眼鏡レンズ２と、これらをそれぞれツーポイントで保持するリムレス型の眼鏡フレーム４と、左右の眼鏡用装飾部材（装飾部材）６と、を有する。
尚、前後上下左右は、説明の便宜上、装用者からみたものとする。
【００１０】
眼鏡フレーム４は、左右の眼鏡レンズ２の間に配置されて各眼鏡レンズ２の鼻側部分を連結するブリッジ１０と、ブリッジ１０の左右からそれぞれ下方に突き出たパッドアーム１２と、各パッドアーム１２の下端部に装着されたパッド１４と、各眼鏡レンズ２の耳側部分に取り付けられ、図示されないヒンジを介してテンプルとつながる智１６と、を有する。
【００１１】
各装飾部材６は、リング状の部材であって、左又は右の眼鏡レンズ２の外形に対して所定の寸法でオフセットした内周形状及び外周形状を有している。
図２に示されるように、各装飾部材６の耳側の上部には、智１６を受け入れる凹部２２が形成されている。又、各装飾部材６の鼻側の上部にも、同様にブリッジ１０を受け入れる凹部（図示略）が形成されている。
凹部２２は、装飾部材６の後面から一定の断面形状で前方に延びる通路部２４と、通路部２４の前側においてその前端につながっており通路部２４より大きい断面を有する受け入れ部２６と、を有している。通路部２４の外側であって受け入れ部２６の後側には、内方に突出するリブ２８が形成される。受け入れ部２６における前後上下に広がる仮想面での断面形状（図２（ｂ）参照）は、智１６の当該仮想面での断面形状と同様である。凹部２２の側部は、装飾部材６の側面に達している。
各装飾部材６は、眼鏡フレーム４の智１６等に凹部２２を掛けることで、対応する眼鏡レンズ２の周囲に位置するように、眼鏡フレーム４の前側に装着される。即ち、まず、装飾部材６が、略水平である倒伏姿勢とされた状態で、上下方向となっている各凹部２２の通路部２４が智１６やブリッジ１０の上側に位置するように配置され、次いで、装飾部材６が下方に移動されて、智１６やブリッジ１０が通路部２４を相対的に通過して受け入れ部２６に至るようにされ、続いて、装飾部材６が、各凹部２２を通る左右方向の仮想的な軸の周りで回転されて、装着部材６が装着される。装着時、装飾部材６のリブ２８の少なくとも一部は、智１６やブリッジ１０の後部に接触し、装飾部材６を支持する。各装飾部材６は、対応する眼鏡レンズ２に対して、一定の隙間（例えば０．５ミリメートル）を有している。
又、装飾部材６は、装着時とは逆の操作により取り外すことができる。尚、装飾部材６は、弾性変形を前提として智１６やブリッジ１０より僅かに小さい凹部２２が形成されたり、凹部２２に接着剤が導入されたりすることで、破壊や変形といった通常でない方法をとらない限り取り外し不能とされても良い。
【００１２】
かように、装飾部材６は、眼鏡フレーム４に対して係合する係合部（耳側の凹部２２，鼻側の凹部）を備えており、当該係合部の眼鏡フレーム４への係合により、眼鏡フレーム４に装着される。
よって、装用者は眼鏡フレーム４に対して装飾部材６を容易に着脱することができ、即ち装飾部材６は眼鏡１の眼鏡フレーム４に対して着脱自在であり、装用者は、装飾部材６を取り外した場合にはリムレス型の眼鏡フレーム４に係る眼鏡１を装用することができ、装着した場合にはリムを有するような外観の眼鏡フレーム４及び装飾部材６に係る眼鏡１を装用することができて、別途眼鏡レンズ２や眼鏡フレーム４を用意しなくても複数のデザインを選択することができる。又、装飾部材６について、互いに色彩や材質、形状等の異なる複数の種類が用意されれば、装用者は異なる種類の装飾部材６を選択して装着することができ、デザインが様々に変化した眼鏡フレーム４及び装飾部材６に係る眼鏡１を装用することができる。更に、デザインを変えるために異なる眼鏡フレーム４に眼鏡レンズ２を装着する場合のように、眼鏡レンズ２の眼鏡フレーム４に対する精度の高い加工（ツーポイントの際のポイント接続部やリム有りの際のヤゲン等）を行う必要が無く、装飾部材６は当該精度以下の精度で形成することができ、作製が容易である。
尚、装飾部材６の材質の例として、樹脂（セル）、金属（メタル）、ゴム、あるいはこれらの組合せが挙げられる。又、装飾部材６の形状の例として、上述のオフセット形状や、眼鏡レンズ２の外形の相似形（同形）、眼鏡レンズ２の外形とは異なる形状（異形）、幅（外周部分と内周部分の間の距離）の細い（太い）もの、部分的な凸部や凹部，孔部の少なくとも何れかが付与された立体形状等が挙げられる。更に、装飾部材６の色彩の例として、単色、あるいは複数色の組合せ、又は抽象物若しくは具体物の絵の付与等が挙げられる。
【００１３】
又、装飾部材６は、眼鏡フレーム４への装着により、眼鏡レンズ２の周囲に配置される。
よって、眼鏡レンズ２について、装用者の視認を妨げない状態で効果的に装飾することができ、装飾部材６が種々用意されれば、これらの付け替えにより、眼鏡レンズ２の外形やリムの色彩等について、様々な印象を１セットの眼鏡レンズ２あるいは眼鏡フレーム４のもとでもたらすことができる。
【００１４】
［第２形態］
図３（ａ）は、本発明の第２形態に係る眼鏡における図２（ａ）同様図であり、図３（ｂ）は、図３（ａ）のＢ−Ｂ線断面図である。
第２形態は、眼鏡フレームと装飾部材との係合を除き、第１形態と同様に成る。かように同様に成る部材や部分等は、適宜同じ符号が付されて説明が省略される。
【００１５】
第２形態の眼鏡フレーム１０４の智１１６における左右方向部分の後部には、周囲部分に対して後方に突出する突起１２０（フレーム側係合部）が形成されている。突起１２０は、上からみてＵ字状であり、略水平に突出していて、中央部に上下方向のネジ孔を有する。尚、ブリッジにも、同様な突起が形成されている。
他方、装飾部材１０６の耳側の後部には、周囲部分に対して後側に突出する突起１２２，１２３（係合部）が上下に形成されている。突起１２２，１２３は、それぞれ突起１２０と同様に形成されている（但し突起１２２，１２３の方が突起１２０より若干長い）。各突起１２２，１２３は、上からみて互いに重なり、突起１２０のネジ孔とも重なり得るような上下方向のネジ孔を有する。突起１２２，１２３の間は、智１１６の突起１２０形成部分を受け入れ可能である受け入れ部１２４となっている。受け入れ部１２４の前面は、装飾部材１０６における他の部分の後面よりも前方に配置されている。尚、装飾部材１０６の鼻側の側部にも、同様な上下の突起が形成されている。
装飾部材１０６は、その受け入れ部１２４の間に智１１６の突起１２０形成部分が入り、全てのネジ孔が上からみて重なった状態で、それらネジ孔に共通するネジ１２６（係合具）が上方（あるいは下方）から入れられることで、眼鏡フレーム１０４に係合される。尚、装飾部材１０６は、鼻側においても、同様に眼鏡フレーム１０４に係合される。
【００１６】
第２形態では、装飾部材１０６は、眼鏡フレーム１０４に設けられたフレーム側係合部（智１１６の突起１２０，ブリッジの突起）に対して係合する係合部（耳側の突起１２２，１２３、鼻側の一対の突起）を備えており、当該フレーム側係合部への係合部の係合により、眼鏡フレーム１０４に装着される。よって、装用者は、眼鏡フレーム１０４に対して、作製が容易である各種の装飾部材１０６を容易に着脱することができ、デザインが様々に変化した眼鏡フレーム１０４若しくはこれと装飾部材１０６とに係る眼鏡を装用することができる。
又、第２形態では、更に上述のフレーム側係合部（突起１２０等）及び係合部（突起１２２，１２３等）に係合する係合具（ネジ１２６）を備えている。よって、当該係合がより一層確実に行われる。
更に、装飾部材１０６は、眼鏡フレーム１０４への装着により、眼鏡レンズ２の周囲に配置される。よって、装飾部材１０６により、眼鏡レンズ２について、装用者の視認を妨げない状態で効果的に装飾することができ、装飾部材１０６が種々用意されれば、１セットの眼鏡レンズ２あるいは眼鏡フレーム１０４のもとで様々な印象をもたらすことができる。
【００１７】
［第３形態］
図４（ａ）は、本発明の第３形態に係る眼鏡における図２（ａ）同様図であり、図４（ｂ）は、図４（ａ）のＣ−Ｃ線断面図である。
第３形態は、眼鏡フレームと装飾部材との係合を除き、第１形態と同様に成る。かように同様に成る部材や部分等は、適宜同じ符号が付されて説明が省略される。
【００１８】
第３形態の眼鏡フレーム２０４の智２１６における左右方向部分の後部には、周囲部分に対して後方に突出する円筒状の突起２２０が形成されている。突起２２０は、前後方向のネジ穴を有する。尚、ブリッジにも、同様な突起が形成されている。
他方、装飾部材２０６の耳側の前部には、周囲部分に対して後方に凹む円筒状の凹部２２２が形成されている。凹部２２２は、突起２２０と同様な大きさを有しており、突起２２０を受け入れ可能である。又、凹部２２２の後方には、装飾部材２０６の後部から周囲部分に対して後方に窪む窪み部２２３が形成されている。凹部２２２の後面と窪み部２２３の前面との間には、突起２２０のネジ穴と重なり得るネジ孔が形成されている。尚、装飾部材２０６の鼻側にも、同様な凹部ないし窪み部が形成されている。
装飾部材２０６は、その凹部２２２が智２１６の突起２２０に嵌まり、凹部２２２のネジ孔が後からみて突起２２０のネジ穴と重なった状態で、ネジ孔ないしネジ穴に共通するネジ２２６が後方から入れられることで、眼鏡フレーム２０４（智２１６やブリッジの後側）に係合される。ネジ２２６の頭部は、窪み部２２３に入る。尚、装飾部材２０６は、鼻側においても、同様に眼鏡フレーム２０４に係合される。
【００１９】
第３形態では、装飾部材２０６は、眼鏡フレーム２０４に設けられたフレーム側係合部（智２１６の突起２２０，ブリッジの突起）に対して係合する係合部（耳側の凹部２２２，鼻側の凹部）を備えており、当該フレーム側係合部への係合部の係合により、眼鏡フレーム２０４に装着される。よって、装用者は、眼鏡フレーム２０４に対して、作製が容易である各種の装飾部材２０６を容易に着脱することができ、デザインが様々に変化した眼鏡フレーム２０４若しくはこれと装飾部材２０６とに係る眼鏡を装用することができる。
又、第３形態では、更に上述のフレーム側係合部（突起２２０等）及び係合部（凹部２２２等）に係合する係合具（ネジ２２６）を備えている。よって、当該係合がより一層確実に行われる。
更に、装飾部材２０６は、眼鏡フレーム２０４への装着により、眼鏡レンズ２の周囲に配置される。よって、装飾部材２０６により、眼鏡レンズ２について、装用者の視認を妨げない状態で効果的に装飾することができ、装飾部材２０６が種々用意されれば、１セットの眼鏡レンズ２あるいは眼鏡フレーム２０４のもとで様々な印象をもたらすことができる。
【００２０】
［第４形態］
図５は、本発明の第４形態に係る眼鏡における一部正面図であり、図６（ａ）は、図５のＤ−Ｄ線断面図である。
第４形態は、装飾部材の係合を除き、第１形態と同様に成る。かように同様に成る部材や部分等は、適宜同じ符号が付されて説明が省略される。
【００２１】
第４形態の眼鏡レンズ３０２における耳側の部分には、全体的な楕円状の輪郭に対して外側に張り出す張出部３０３が形成されている。張出部３０３には、前後方向の孔３０５が形成されている。尚、眼鏡レンズ３０２における鼻側の部分にも、同様な張出部（図示略）が形成されている。
第４形態の眼鏡フレーム（図示略）は、第１形態の眼鏡フレーム４と同様であるツーポイントのリムレス型であり、智は、眼鏡レンズ３０２における張出部３０３の上側に止められている。
第４形態のリング状の装飾部材３０６における耳側の後面には、他の部分より後方に突出する茸状の突起３２０が形成されている。尚、装飾部材３０６における鼻側の部分の後面にも、同様な突起（図示略）が形成されている。
そして、装飾部材３０６は、眼鏡レンズ３０２に前方から近づけ、突起３２０を張出部３０３の孔３０５に入れることで、又鼻側の突起も同様に孔に入れることで、眼鏡レンズ３０２に係合される。突起３２０等の膨らんだ先端部は、孔３０５等から露出しており、眼鏡レンズ３０２の後面に接している。装飾部材３０６における内側の輪郭は、眼鏡レンズ３０２の輪郭（外形）に対して、（張出部３０３等を除き）一定の程度（例えば１ミリメートル）において内方に位置しており、装飾部材３０６は、眼鏡レンズ３０２の外形を（装用者をみる者から）隠す。
【００２２】
第４形態では、装飾部材３０６は、眼鏡レンズ３０２に設けられたレンズ側係合部（孔３０５等）に対して係合する係合部（突起３２０等）を備えており、当該レンズ側係合部への係合部の係合により、眼鏡レンズ３０２に装着される。よって、装用者は、眼鏡レンズ３０２に対して、作製が容易である各種の装飾部材３０６を容易に着脱することができ、デザインが様々に変化した眼鏡を装用することができる。
又、装飾部材３０６は、眼鏡レンズ３０２への装着により、眼鏡レンズ３０２の周囲に配置される。よって、装飾部材３０６により、眼鏡レンズ３０２について、装用者の視認を妨げない状態で効果的に装飾することができ、装飾部材３０６が種々用意されれば、１セットの眼鏡レンズ３０２あるいは眼鏡フレームのもとで様々な印象をもたらすことができる。
【００２３】
［第５形態］
図６（ｂ）は、本発明の第５形態に係る図６（ａ）同様図である。
第５形態は、装飾部材の係合を除き、第４形態と同様に成る。かように同様に成る部材や部分等は、適宜同じ符号が付されて説明が省略される。
【００２４】
第５形態の装飾部材４０６の耳側の部分には、眼鏡レンズ３０２の孔３０５と重なり得るネジ穴４２０が開けられている。尚、鼻側においても、同様にネジ穴が設けられる。
装飾部材４０６は、ネジ穴４２０が孔３０５に重なり、鼻側においても同様に重なった状態で、ネジ４２６をこれらに後方から通すことで、眼鏡レンズ３０２に係合される。
【００２５】
第５形態では、装飾部材４０６は、眼鏡レンズ３０２に設けられたレンズ側係合部（孔３０５等）に対して係合する係合部（ネジ穴４２０等）を備えており、当該レンズ側係合部への係合部の係合により、眼鏡レンズ３０２の周囲に配置される。よって、装用者は、眼鏡レンズ３０２に対して、作製が容易である各種の装飾部材４０６を容易に着脱することができ、デザインが様々に変化した眼鏡を装用することができる。
又、第５形態では、更に上述のレンズ側係合部及び係合部に係合する係合具（ネジ４２６）を備えている。よって、当該係合がより一層確実に行われる。
更に、装飾部材４０６は、眼鏡レンズ３０２への装着により、眼鏡レンズ３０２の周囲に配置される。よって、装飾部材４０６により、眼鏡レンズ３０２について、装用者の視認を妨げない状態で効果的に装飾することができ、装飾部材４０６が種々用意されれば、１セットの眼鏡レンズ３０２あるいは眼鏡フレームのもとで様々な印象をもたらすことができる。
【００２６】
［第６形態］
図６（ｃ）は、本発明の第６形態に係る図６（ａ）同様図である。
第６形態は、装飾部材の係合を除き、第５形態と同様に成る。かように同様に成る部材や部分等は、適宜同じ符号が付されて説明が省略される。
【００２７】
第６形態の装飾部材５０６は、ネジ穴４２０の周囲部分において後面から後方に突出する突出部５２１を有している。尚、鼻側においても同様に突出部が形成される。
他方、第６形態の眼鏡レンズ５０２の張出部３０３における孔３０５の周辺部分には、前面から後方に窪む窪み部５０７が形成されている。窪み部５０７は、突出部５２１に対応する形状を有しており、突出部５２１を受け入れ可能である。尚、鼻側においても同様に窪み部が形成される。
装飾部材５０６は、突出部５２１が窪み部５０７に入り、ネジ穴４２０が孔３０５に重なった状態で、又鼻側においても同様に処理された状態で、ネジ４２６をこれらに後方から通すことで、眼鏡レンズ５０２に係合される。
【００２８】
第６形態では、装飾部材５０６は、眼鏡レンズ５０２に設けられたレンズ側係合部（孔３０５等，窪み部５０７）に対して係合する係合部（ネジ穴４２０等，突出部５２１）を備えており、当該レンズ側係合部への係合部の係合により、眼鏡レンズ５０２に装着される。よって、装用者は、眼鏡レンズ５０２に対して、作製が容易である各種の装飾部材５０６を容易に着脱することができ、デザインが様々に変化した眼鏡を装用することができる。
又、第６形態では、更に上述のレンズ側係合部及び係合部に係合する係合具（ネジ４２６）を備えている。よって、当該係合がより一層確実に行われる。
更に、装飾部材５０６は、眼鏡レンズ５０２への装着により、眼鏡レンズ５０２の周囲に配置される。よって、装飾部材５０６により、眼鏡レンズ５０２について、装用者の視認を妨げない状態で効果的に装飾することができ、装飾部材５０６が種々用意されれば、１セットの眼鏡レンズ５０２あるいは眼鏡フレームのもとで様々な印象をもたらすことができる。
【００２９】
［第７形態］
図７は、本発明の第７形態に係る一部前面図である。
第７形態では、図７に示されるように、装飾部材６０６の外形（内周形状及び外周形状の少なくとも一方）が、眼鏡レンズ６０２の外形をオフセットしたものではなく、眼鏡レンズ６０２の外形と異なる形状とされたものである。
かような装飾部材６０６の装着により、非装着時の眼鏡レンズ６０２のデザインとは大きく異なるリムや眼鏡レンズ６０２のデザインを簡単に実現することができ、様々な形状に係る装飾部材６０６を用意すれば、装用者は様々なデザインに係る眼鏡を、共通の眼鏡レンズ６０２や眼鏡フレームにおいて選択することができる。
【００３０】
［第８形態］
図８は、本発明の第８形態に係る一部前面図である。
第８形態では、図８に示されるように、眼鏡レンズ７０２の周りに配置される装飾部材７０６が、前面から前方に膨らむ膨出部７０７を複数有しており、立体的なデザインを有するものである。
尚、膨出部の数や配置等は、様々に変更することができる。又、膨出部に代えて、あるいは膨出部と共に、窪み部や透孔が設けられても良い。更に、装飾部材７０６等に対し、絵の描かれたシール等の平面物や、宝石等の立体物が、付着されたり埋め込まれたりされても良い。
【００３１】
［第９形態］
図９は、本発明の第９形態に係る一部前面図である。
第９形態では、図９に示されるように、リング状の装飾部材８０６の内側の形状が、眼鏡レンズ７０２の外形と異なっており、装飾部材８０６の耳側上部が、眼鏡レンズ７０２の耳側上部の前方に被さる。眼鏡レンズ７０２に被さる装飾部材８０６の耳側上部の前面には、前面から前方に膨らむ膨出部８０７が複数配置されている。
第９形態の装飾部材８０６では、内側形状が眼鏡レンズ７０２の外形と異なっているため、前方からみた意匠ないしは印象を手軽に変更することができ、更に、眼鏡レンズ７０２を覆う部分において立体的なデザインをあしらうことができる。
尚、第９形態では、第８形態と同様の変更が可能である。又、立体的なデザインは、眼鏡レンズ７０２を覆う部分に代えて、あるいは当該部分と共に、眼鏡レンズを覆わない部分に施すことができる。
【００３２】
［第１０形態］
図１０は、本発明の第１０形態に係る眼鏡における図２（ｂ）同様図である。
第１０形態の装飾部材９０６は、図１０に示されるように、フレーム４の前側に配置される前側部材９０７（第１装飾要素）と、フレーム４の後側に配置される後側部材９０８（第２装飾要素）と、を備えている。前側部材９０７には、前後方向のネジ孔９０９が形成されており、後側部材９０８には、ネジ孔９０９に重なり得る前後方向のネジ穴９１０が形成されている。又、後側部材９０８の前部には、前面から後方に凹む凹部９１１が設けられている。
そして、装飾部材９０６は、互いに重なったネジ孔９０９とネジ穴９１０とに対して共通のネジ９１２を通すことにより、前側部材９０７の後面及び後側部材９０８の凹部９１１との間でフレーム４を挟むことで、フレーム２に装着される。尚、凹部９１１は、ネジ９１２の頭部とネジ部とが入るような、前部が後部より広がっている形状となっている。
第１０形態においても、眼鏡レンズの周りに装飾部材９０６が配置される。
【００３３】
［第１１形態］
図１１は、本発明の第１１形態に係る一部前面図である。
第１１形態では、図１１に示されるように、装飾部材１００６Ａ，１００６Ｂが、上下に分かれた状態で、片眼毎に複数（２個）設けられている。
装飾部材１００６Ａ，１００６Ｂは、それぞれ、弾性体（例えばシリコンゴム等の樹脂）によって、断面“Ｕ”字状を呈する状態で形成されている。
装飾部材１００６Ａは、前面視で、眼鏡レンズ１００２の周縁上部を覆う形状を呈しており、当該周縁上部を断面“Ｕ”字状における開放部分から相対的に進入させることで、当該周縁上部に係合される。
装飾部材１００６Ｂは、前面視で、眼鏡レンズ１００２の周縁下部を覆う形状を呈しており、装飾部材１００６Ａと同様に当該周縁下部に係合される。
装飾部材１００６Ａ，１００６Ｂは、それぞれ眼鏡レンズ１００２に係合された場合、前面視において、合わせて、ブリッジ１０端部と智１６とで切れ目の入ったリング状となっている。
装飾部材１００６Ａ，１００６Ｂは、弾性体であるため、眼鏡レンズ１００２に対する係合を確保する際に適宜一時的な変形を施すことで当該係合が行い易いし、かような係合において眼鏡レンズ１００２を掴むようになって眼鏡レンズ１００２からの脱落が防止される。
【００３４】
かような装飾部材１００６Ａ，１００６Ｂの装着により、非装着時の眼鏡レンズ１００２のデザインとは大きく異なるリムや眼鏡レンズ１００２のデザインを簡単に実現することができる。又、装飾部材１００６Ａ，１００６Ｂの装着は、ブリッジ１０及び智１６との干渉への配慮を要せず簡単に行える。更に、装飾部材１００６Ａ，１００６Ｂの一方のみが装着されれば、リング状ではなく弧状のデザインが簡単に実現される。
尚、第１１形態において、装飾部材１００６Ａ，１００６Ｂは、左右等、上下以外で並んでいても良い。又、装飾部材１００６Ａ，１００６Ｂは、互いに異なる色あるいは材質を有していても良いし、前面視において一連につながらない形状を呈していても良い。装飾部材が、眼鏡レンズ１００２の右上、右下、左上、左下にそれぞれ分かれて設けられる等、片眼あたり３個以上設けられても良い。左右の眼鏡レンズ１００２において、異なる数、色、材質あるいは形状の装飾部材が装着されても良い。
【００３５】
［第１２形態］
図１２は、本発明の第１２形態に係る一部前面図である。
第１２形態では、図１２に示されるように、装飾部材１１０６が、全体として弧状となっている。
装飾部材１１０６は、より詳しくは、第１リング部１１０６ａと第２リング部１１０６ｂとが接続部１１０６ｃでつながった形状に形成されている。
第１リング部１１０６ａは、左右に細長い形状を呈している。第２リング部１１０６ｂは、左右に細長い形状を呈しており、第１リング部１１０６ａより長くなっている。
装飾部材１１０６は、第１１形態と同様に、弾性体（シリコンゴム等）で形成されている。
装飾部材１１０６は、第１リング部１１０６ａ及び第２リング部１１０６ｂが、眼鏡レンズ１１０２の上部鼻側に係合することで装着される。接続部１１０６ｃは耳側に配置され、第１リング部１１０６ａ及び第２リング部１１０６ｂにおける接続部１１０６ｃの反対側はブリッジ１０の上側（鼻側）に配置される。
【００３６】
第１２形態の装飾部材１１０６によれば、弧状のデザインに係るバリエーションが実現される。更に、装飾部材１１０６は、第１リング部１１０６ａと第２リング部１１０６ｂとを眼鏡レンズ１１０２の周縁部に掛けるだけで簡単に装着でき、又その弾性により眼鏡レンズ１１０２に対して確実に装着される。
尚、装飾部材１１０６の装着時に、第２リング部１１０６ｂにおける鼻側の端部がブリッジ１０の下方に配置されても良いし、第１リング部１１０６ａ及び第２リング部１１０６ｂにおける鼻側の端部がブリッジ１０の下方に配置されても良い。又、装飾部材１１０６は、眼鏡レンズ１１０２の下部周縁の一部等、上部鼻側以外の部分に装着されても良い。更に、第２リング部１１０６ｂは、第１リング部１１０６ａと同等の長さであっても良いし、第１リング部１１０６ａより短くても良い。加えて、装飾部材１１０６は、１つあるいは３つ以上のリング部を有していても良いし、複数の接続部１１０６ｃを有していても良い。
【００３７】
［第１３形態］
図１３は、本発明の第１３形態に係る一部前面図である。
第１３形態では、図１３に示されるように、装飾部材１２０６は、全体としてリング状となっているところ、１箇所において、切れ目１２０６ａを有している。
装飾部材１２０６は、第１１形態及び第１２形態と同様に、弾性体（シリコンゴム等）で形成されている。
装飾部材１２０６は、例えば切れ目１２０６ａを上下に広げた状態で眼鏡レンズ１２０２の耳側から通し、切れ目１２０６ａが鼻側のブリッジ１０端部に至ったら切れ目１２０６ａの展開を止めることで、眼鏡レンズ１２０２に装着される。
【００３８】
第１３形態の装飾部材１２０６は、切れ目１２０６ａを有することにより、眼鏡レンズ１２０２への装着がより簡単に行える。又、装飾部材１２０６は、装着中において切れ目１２０６ａがブリッジ１０端部に配置されるようにすることで、ブリッジ１０端部を避けた状態でより安定して保持される。
尚、切れ目１２０６ａは、智１６の端部等、他の部分に配置されても良い。又、切れ目１２０６ａに代えて、あるいは切れ目１２０６ａと共に、眼鏡レンズ１２０６側に配置され径方向外方に凹む内側凹部、及び径方向外側に配置され径方向内方に凹む外側凹部の少なくとも一方が設けられても良い。
【００３９】
［第１４形態］
図１４（ａ）は、本発明の第１４形態に係る一部前面図である。図１４（ｂ）は、図１４（ａ）のＥ−Ｅ線断面図である。
第１４形態では、図１４に示されるように、装飾部材１３０６は、装飾部材本体１３０７と、機能シート１３０８と、を有する。
装飾部材本体１３０７は、断面“Ｕ”字状であって前面視で弧状であり、第１１形態ないし第１３形態と同様に、弾性体（シリコンゴム等）で形成されている。
機能シート１３０８は、光学的な機能及び機械的な機能の少なくとも一方を有するシートであって、ここでは偏光フィルタ機能を有する偏光フィルタシートとされている。尚、光学的な機能は、偏光フィルタ機能に代えて、あるいは偏光フィルタ機能と共に、特定波長域（例えば紫外域、可視域あるいは青色波長域）を他の波長域に比べてカットする（透過率を減少する）特定波長域カットフィルタ機能、特定波長域（例えば可視域）のみを透過するバンドパスフィルタ機能、眼鏡レンズ１３０２の度数を変化させるための度数調整機能、互いに度数の異なる近用部分と遠用部分とを付与する累進多焦点機能、下半等の一部において度数の異なる部分として設けられる小玉が形成された小玉機能、及び透光性の有る色を付与する色彩付与機能のうちの少なくとも何れかとされても良い。これらの光学的な機能は、例えば機能シート１３０８の透明な基板の表面（前面及び裏面の少なくとも一方）に形成された光学多層膜、機能シート１３０８の表面に形成された累進部、及び機能シート１３０８の表面に形成された小玉部の少なくとも何れか等により実現される。又、機械的な機能として、眼鏡レンズ１３０２を飛び石の衝突等の外力から保護する保護機能が例示される。更に、光学的な機能及び機械的な機能以外の機能が付与されても良い。眼鏡レンズ１３０２と機能シート１３０８との組合せで１つの機能が発揮されても良い。
機能シート１３０８は、その上縁が装飾部材本体１３０７の前側壁体部分の内側に貼り付けられることで、装飾部材本体１３０７に固定されている。尚、機能シート１３０８の装飾部材本体１３０７に対する固定は、貼り付けに代えて、あるいは貼り付けと共に、差し込み、及び一方の凸部と他方の凹部の係止の少なくとも一方とされても良い。
【００４０】
装飾部材１３０６は、装飾部材本体１３０７を眼鏡レンズ１３０２の上縁に掛けることで眼鏡レンズ１３０２に装着される。このとき、機能シート１３０８は、眼鏡レンズ１３０２の前面の前側に配置される。尚、機能シート１３０８は、眼鏡レンズ１３０２の後面の後側に配置されても良いし、複数（２枚）設けられて眼鏡レンズ１３０２の前面側及び後面側に配置されても良い。機能シート１３０８は、複数設けられる場合、互いに同じ機能を有していても良いし、互いに異なる機能を有していても良い。
機能シート１３０８（の後面）は、眼鏡レンズ１３０２（の前面）と同じカーブを有しており、眼鏡レンズ１３０２に隙間なくフィットする。尚、機能シート１３０８は、眼鏡レンズ１３０２と同じカーブを有していなくても良く、平坦に形成されていても良く、眼鏡レンズ１３０２と機能シート１３０８との間の一部又は全部において隙間が形成されていても良い。又、機能シート１３０８の前面形状と後面形状とは、互いに異なっていても良い。更に、機能シート１３０８は、柔軟性及び吸着性の少なくとも一方を有することで、様々なカーブの眼鏡レンズ１３０２にフィットするものとされていても良い。
【００４１】
第１４形態の装飾部材１３０６は、機能シート１３０８を有しており、装着中、機能シート１３０８が眼鏡レンズ１３０２の前側に配置される。よって、装飾部材１３０６の装着により、眼鏡レンズ１３０２に光学的な機能（ここでは偏光フィルタ機能）が付与される。又、装飾部材本体１３０７は片眼に対するものであり、左眼のみ、右眼のみ、あるいは左右両眼に対して光学的な機能が付与可能である。
尚、左右で異なる機能に係る機能シート１３０８を有する装飾部材１３０６を装着して、左右で異なる機能が付与されるようにしても良い。
又、装飾部材本体１３０７は、装飾目的を持たず眼鏡レンズ１３０２への係合目的を持つ係合部とされても良い。この場合、装飾部材１３０６は、装飾目的を持たない機能付与部材となる。即ち、機能付与部材は、眼鏡レンズ１３０２へ係合する係合部と、当該係合部に設けられており眼鏡レンズ１３０２の前面側及び後面側の少なくとも一方に配置される機能シート１３０８と、を備えるものである。
【００４２】
第１１形態ないし第１４形態における装飾部材、装飾部材本体、係合部は、眼鏡フレームに対して係合するものであっても良いし、眼鏡レンズ及び眼鏡フレームの双方に対して係合するものであっても良い。
【００４３】
［変更例等］
本発明の形態は、上述のものに限られず、例えばこれらの形態は、適宜次のように変更することが可能である。
装飾部材は、吐出後に固化可能である流動体を、固化後に所定形状となるように吐出する流動体吐出手段により作製することができる。流動体吐出手段は、例えば、流動性樹脂を吐出する３次元プリンタや樹脂吐出ディスペンサー、あるいは粉体金属を吹き付ける金属吐出ディスペンサーが挙げられる。かように、装飾部材が流動体吐出手段により形成されれば、様々な形状の装飾部材が簡単に提供され、顧客の眼鏡フレームの形状や顧客の要望に合致した装飾部材をすぐさま作製することができる。
又、装飾部材は、射出成形、鍛造、鋳造や削り出し等の他の方法により作製されても良い。
【００４４】
装飾部材の係合位置は、耳側及び鼻側の２箇所に限られず、上部や下部といった他の箇所であっても良いし、１箇所あるいは３箇所以上であっても良い。
装飾部材は、眼鏡フレームと眼鏡レンズとに係合されても良い。
又、装飾部材が１つの眼鏡レンズに対して３個以上設けられ、即ち装飾部材要素が３個以上設けられ、互いに嵌め合わせあるいは係止させることで、眼鏡レンズや眼鏡フレームに係合されても良い。
眼鏡フレームは、ツーポイントで止めるリムレス型に限られず、リム有りや、ナイロールを用いたもの等であっても良い。眼鏡フレームの係合部は、リムやパッドアーム等に設けられても良い。
眼鏡レンズは、耳側に回り込むような深いカーブを有するものであっても良いし、度のないレンズや、サングラスレンズ等であっても良い。
眼鏡レンズの係合部は、張出部以外に設けられても良く、張出部のない眼鏡レンズに設けられても良い。
各種の突起，連続突起やその小突起，凹部，窪み部等の数は、様々に増減することができ、これらの配置は、様々に変更することができる。又、突起等は、眼鏡フレーム等と別体とされて眼鏡フレーム等に取り付けられるものであっても良い。
【００４５】
装飾部材は、リング状部分に保持され当該リング状部分の内方に位置する面状のフィルタ等の機能シートを備えていても良い。例えば、偏光フィルタや減光フィルタが保持された装飾部材が、眼鏡レンズや眼鏡フレームへ係合されることにより、偏光フィルタや減光フィルタが眼鏡レンズの前側あるいは後側に配置されれば、サングラス機能のない（弱い）眼鏡レンズに対して当該機能を付与（強化）することができる。
装飾部材は、リング状の一部に相当する弧状、及びリング状以外の形状であっても良い。
装飾部材は、眼鏡フレームのテンプル等に係合されること等により、眼鏡レンズの周囲部分の一部のみ、あるいは眼鏡レンズの周囲部分以外に配置されても良い。例えば、眼鏡レンズの上半周部のみあるいは耳側の半周部のみに配置されても良いし、上半周部（耳側半周部）と下半周部（鼻側半周部）とで異なるものが、組み合わせられた状態であるいは互いに離れた状態で配置されても良い。３個以上の装飾部材あるいは装飾部材要素が装着されても良い。又、装飾部材は、テンプルの前部（眼鏡レンズの側方）や中央部（装用者のこめかみの外側ないし耳の前側）に配置されても良い。
【符号の説明】
【００４６】
１・・眼鏡、２，３０２，５０２，６０２，７０２，１００２，１１０２，１２０２，１３０２・・眼鏡レンズ、４，１０４，２０４・・眼鏡フレーム、６，１０６，２０６，３０６，４０６，５０６，６０６，７０６，８０６，９０６，１００６Ａ，１００６Ｂ，１１０６，１２０６，１３０６・・（眼鏡用）装飾部材、２２，２２２・・凹部（係合部）、１２０・・突起（フレーム側係合部）、１２２，１２３・・突起（係合部）、１２６，２２６，４２６・・ネジ（係合具）、２２０・・突起（フレーム側係合部）、３０５・・孔（レンズ側係合部）、３２０・・突起（係合部）、４２０・・ネジ穴（係合部）、５０７・・窪み部（レンズ側係合部）、５２１・・突出部（係合部）、１２０６ａ・・切れ目、１３０８・・機能シート。
【図１】
2019124938.tif 000003
【図２】
2019124938.tif 000004
【図３】
2019124938.tif 000005
【図４】
2019124938.tif 000006
【図５】
2019124938.tif 000007
【図６】
2019124938.tif 000008
【図７】
2019124938.tif 000009
【図８】
2019124938.tif 000010
【図９】
2019124938.tif 000011
【図１０】
2019124938.tif 000012
【図１１】
2019124938.tif 000013
【図１２】
2019124938.tif 000014
【図１３】
2019124938.tif 000015
【図１４】
2019124938.tif 000016